(57)【要約】【課題】  貯湯槽への自動的な水張りを確実に行うことが可能な技術を提供する。【解決手段】  貯湯槽と、貯湯槽への給水経路と、貯湯槽の規定水位から湯水を汲み出して貯湯槽の規定水位よりも高い水位へ戻す循環経路と、循環経路で湯水を循環させる循環ポンプと、循環経路で循環ポンプより下流に設けられた流量検出手段と、循環経路の循環ポンプおよび流量検出手段よりも下流から分岐したオーバーフロー経路と、オーバーフロー経路を開閉する開閉弁と、循環ポンプと開閉弁を制御する制御手段と、操作手段を備え、制御手段は、操作手段が操作されると開閉弁を開き、流量検出手段の検出値が第１所定流量を超えると（１）開閉弁を閉じ、（２）循環ポンプを駆動し、（３）流量検出手段の検出値を取得し、（４）循環ポンプを停止し、（５）上記（３）の検出値が第２所定流量に満たない場合に、再び開閉弁を開く、貯湯式の給湯システム。【選択図】  図１
2008121991.tif 000002
【特許請求の範囲】
【請求項１】
貯湯槽の規定水位までの水張りを自動的に行う貯湯式の給湯システムであって、
貯湯槽と、
貯湯槽へ給水する給水経路と、
貯湯槽の規定水位から湯水を汲み出し、汲み出された湯水を貯湯槽の規定水位よりも高い水位へ戻す循環経路と、
循環経路に設けられており、湯水を循環させる循環ポンプと、
循環経路において循環ポンプより下流に設けられた流量検出手段と、
循環経路において循環ポンプと流量検出手段よりも下流から分岐して、給水時に貯湯槽から溢れ出る湯水を排出するオーバーフロー経路と、
オーバーフロー経路を開閉する開閉弁と、
循環ポンプと開閉弁を制御する制御手段と、
操作手段を備えており、
制御手段は、
操作手段が操作されると、開閉弁を開き、
流量検出手段における流量の検出値が第１所定流量を超えると、（１）開閉弁を閉じ、（２）循環ポンプを駆動し、（３）流量検出手段における流量の検出値を取得し、（４）循環ポンプを停止し、（５）上記（３）で取得された流量の検出値が第２所定流量に満たない場合に、再び開閉弁を開くことを特徴とする給湯システム。
【請求項２】
オーバーフロー経路から排出される湯水を貯えるシスターンと、
シスターンの水位が所定水位に達しているか否かを検出する水位検出手段をさらに備えており、
制御手段は、
操作手段が操作されたときのシスターンの水位が所定水位に達していない場合には、シスターンの水位が所定水位に達したときに、開閉弁を閉じることを特徴とする、請求項１の給湯システム。
【発明の詳細な説明】
【技術分野】
【０００１】
本発明は、貯湯式の給湯システムに関する。詳しくは、貯湯式の給湯システムにおいて、貯湯槽への水張りを自動的に行う技術に関する。
【背景技術】
【０００２】
貯湯式の給湯システムは、加熱された湯を貯湯槽に貯湯しておき、貯湯槽に貯湯しておいた湯を必要に応じて給湯する。このような給湯システムは、例えば発電によって生じる発電熱を給湯の熱源として利用するコージェネレーションシステム等において採用されている。
【０００３】
貯湯式の給湯システムを新たに設置した場合、給湯システムの運転を開始する前に、貯湯槽に水張りをしておく必要がある。また、給湯システムの利用者が長期の不在に備えて貯湯槽の水抜きを行った場合、その後に運転を再開する前に、改めて貯湯槽に水張りをする必要がある。
【０００４】
貯湯槽への水張りを手動で行う場合、水張りが終了するまで作業者が貯湯槽の水位を監視し続けなければならず、作業負担が大きい。そこで、貯湯槽への水張りを自動的に行い、作業負担を軽減する技術が開発されている。
【０００５】
特許文献１と２の技術では、貯湯槽から風呂の浴槽へ給湯する湯張り経路を、給水時に貯湯槽から溢れ出る水を排出するオーバーフロー経路として活用する。そして、貯湯槽への水張りの際に、湯張り経路に設けられた流量センサの検出値を監視する。流量センサである程度の流量が検出されると、貯湯槽への水張りが十分に行われて、貯湯槽から湯張り経路に水が溢れ出していると判断して、貯湯槽への水張りを終了する。
【０００６】
特許文献３の技術では、貯湯槽から暖房系統のシスターンへ給水する経路をオーバーフロー経路として活用する。そして、貯湯槽への水張りの際に、シスターンに設けられた水位センサの検出値を監視する。水位センサでシスターンの水位上昇が検出されると、貯湯槽への水張りが十分に行われて、貯湯槽からシスターンに水が溢れ出していると判断して、貯湯槽への水張りを終了する。
【０００７】
【特許文献１】特開２００４−２６３９３４号公報
【特許文献２】特開２００２−５５２８号公報
【特許文献３】特開２００４−６０９８１号公報
【発明の開示】
【発明が解決しようとする課題】
【０００８】
空の貯湯槽へ水張りを行う際に、水位上昇に伴って貯湯槽内のエアが圧縮されて、圧縮されたエアがオーバーフロー経路に流れ出す場合がある。特許文献１と２の技術では、貯湯槽内のエアが湯張り経路を通って風呂の浴槽へ流れ出す場合がある。この際に、エアの流れによって流量センサが流量を検出してしまい、実際には貯湯槽への水張りが完了していないのに、水張りが完了したかのように判定してしまう場合がある。
【０００９】
特許文献３の技術によれば、貯湯槽内のエアはシスターンに流れ出るが、エアが流れ出てもシスターンの水位には影響しないため、特許文献１や２の技術のように水張り終了について誤判定を起こすことがない。しかしながら、この手法は既にシスターンの上限水位まで水が貯まっている状態では用いることができない。貯湯槽への水張りは、給湯システムを新たに設置した直後だけでなく、利用者が長期間の不在に備えて貯湯槽を水抜きして、その後にシステムを再び運転する際にも行われる。後者の場合、既にシスターンの上限水位まで水が貯まっていることがあり、特許文献３の技術を適用できないことがあった。
【００１０】
本発明は、上記の従来技術の問題を鑑みてなされたものである。貯湯槽への自動的な水張りを確実に行うことが可能な技術を提供する。
【課題を解決するための手段】
【００１１】
本発明は、貯湯槽の規定水位までの水張りを自動的に行う貯湯式の給湯システムとして具現化される。その給湯システムは、貯湯槽と、貯湯槽へ給水する給水経路と、貯湯槽の規定水位から湯水を汲み出し、汲み出された湯水を貯湯槽の規定水位よりも高い水位へ戻す循環経路と、循環経路に設けられており、湯水を循環させる循環ポンプと、循環経路において循環ポンプより下流に設けられた流量検出手段と、循環経路において循環ポンプと流量検出手段よりも下流から分岐して、給水時に貯湯槽から溢れ出る湯水を排出するオーバーフロー経路と、オーバーフロー経路を開閉する開閉弁と、循環ポンプと開閉弁を制御する制御手段と、操作手段を備えている。その制御手段は、操作手段が操作されると、開閉弁を開く。また、その制御手段は、流量検出手段における流量の検出値が第１所定流量を超えると、（１）開閉弁を閉じ、（２）循環ポンプを駆動し、（３）流量検出手段における流量の検出値を取得し、（４）循環ポンプを停止し、（５）上記（３）で取得された流量の検出値が第２所定流量に満たない場合に、再び開閉弁を開く。
【００１２】
本発明の給湯システムでは、操作手段が操作されると、制御手段が開閉弁を開く。これによって、給水経路からの給水圧によって貯湯槽への給水が行われる。貯湯槽への給水が行われている間、制御手段は流量検出手段で検出される流量を監視している。流量検出手段で第１所定流量が検出されると、制御手段は、貯湯槽から循環経路に水が溢れ出たのか、あるいは貯湯槽から循環経路にエアが押し出されたのかを判定する。具体的には、開閉弁を閉じて、循環ポンプを駆動して、流量検出手段における流量の検出値を取得する。もし貯湯槽から循環経路に水が溢れ出ている場合には、循環ポンプの駆動によって循環経路の水が循環して、流量検出手段では第２所定流量を超える流量が検出される。この場合には、貯湯槽の規定水位まで水張りが完了しているため、貯湯槽への水張りを終了する。もし貯湯槽から循環経路にエアが押し出されていて、循環経路に水が溢れ出していない場合には、循環ポンプを駆動しても循環経路には水が循環せず、流量検出手段では第２所定流量に満たない流量しか検出されない。この場合には、貯湯槽の規定水位まで水張りが完了していないため、再び開閉弁を開いて給水を再開する。
【００１３】
本発明の給湯システムでは、貯湯槽から湯水を汲み出して貯湯槽へ戻す循環経路を利用して、貯湯槽への水張りの終了判定を行う。このような循環経路は、循環経路を流れる湯水を加熱する熱源機とともに、給湯システムに本体的に用いられている。本発明の給湯システムでは、水張りの終了判定のためだけに専用の部品を用いることなく、給湯システムが本来的に備えている部品を活用して、貯湯槽への水張りの終了判定を行うことができる。
【００１４】
本発明の給湯システムによれば、貯湯槽への水張りを行う際に、貯湯槽から流れ出るエアによって流量検出手段が流量を検出してしまう場合でも、水張り終了について誤判定を起こすことがない。貯湯槽の規定水位までの水張りを確実に行うことができる。
【００１５】
本発明の給湯システムは、オーバーフロー経路から排出される湯水を貯えるシスターンと、シスターンの水位が所定水位に達しているか否かを検出する水位検出手段をさらに備えており、制御手段が、操作手段が操作されたときのシスターンの水位が所定水位に達していない場合には、シスターンの水位が所定水位に達したときに、開閉弁を閉じることが好ましい。
【００１６】
上記の給湯システムでは、貯湯槽への水張りを開始する際のシスターンの水位によって、水張りの終了判定の方式を切替える。水張りを開始した時点でのシスターンの水位が所定水位に達していない場合には、流量検出手段を用いた水張りの終了判定ではなく、シスターンの水位検出手段を用いた水張りの終了判定を行う。すなわち、貯湯槽からシスターンへ水が溢れ出して、シスターンの水位が所定水位まで上昇した時点で、開閉弁を閉じて水張りを終了する。水張りを開始した時点でのシスターンの水位が所定水位に達している場合には、上述した流量検出手段を用いた水張りの終了判定を行う。給湯システムの状況に応じて、貯湯槽への水張りの終了判定の方式を適切に切替えることができる。
【発明の効果】
【００１７】
本発明の給湯システムによれば、貯湯槽への自動的な水張りを確実に行うことができる。
【発明を実施するための最良の形態】
【００１８】
以下、本発明の好適な実施形態を説明する。
（形態１）  循環経路は、貯湯槽の中間高さから湯水を汲み出し、汲み出された湯水を貯湯槽の頂部に戻すように構成されている。
（形態２）  循環経路は、貯湯槽の規定水位よりも低い位置を通る部分を含んでおり、循環ポンプと流量検出手段はその部分に設けられている。
（形態３）  オーバーフロー経路は、貯湯槽の頂部よりも高い位置を通る部分を含んでいる。
（形態４）  貯湯槽は、密閉型である。
【実施例】
【００１９】
本発明の給湯システムを具現化した一実施例を図面を参照しながら説明する。図１に示すように、本実施例の給湯システム１００は、発電ユニット１０２、暖房端末機１６０、風呂の浴槽１７０および給湯栓１２４に接続されている。給湯システム１００は、貯湯槽１１０、熱源機１４０、混合ユニット１３４、リモコン１８２およびコントローラ１８０等を備えている。
【００２０】
発電ユニット１０２は、固体高分子型の燃料電池を用いた発電装置である。発電ユニット１０２は電力需要に応じて発電を行う。発電を行う際に、発電ユニット１０２は排熱回収ポンプ１０４を駆動する。排熱回収ポンプ１０４が駆動されると、貯湯槽１１０の底部から水が吸い出される。吸い出された水は、排熱回収熱交換器１０６で発電熱によって加熱されて、貯湯槽１１０の頂部に戻される。
【００２１】
貯湯槽１１０は、発電ユニット１０２の発電熱によって加熱された湯を貯える。貯湯槽１１０に貯えられた湯は、給湯や暖房、風呂の追い焚き等に利用される。貯湯槽１１０の内部には温度成層が形成されており、貯湯槽１１０の上部には下部に比べて高温の湯が貯えられる。従って、貯湯槽１１０の蓄熱量が少ないときでも、貯湯槽１１０の上部から出湯することによって、高温の湯を利用することができる。
【００２２】
貯湯槽１１０の底部は、貯湯槽給水経路１３６、混合ユニット１３４および給水経路１３２を経由して、図示されない水道管に接続されている。給水経路１３２には減圧弁１２６が設けられており、水道管からの給水圧力が調整されている。貯湯槽１１０の頂部は、貯湯槽給湯経路１１４、混合ユニット１３４、給湯経路１２２を経由して、給湯栓１２４に接続されている。給湯栓１２４が開かれると、給水圧力によって貯湯槽１１０の内部の湯水が底部から頂部に向けて押し上げられ、貯湯槽１１０の上部から貯湯槽給湯経路１１４へ出湯する。貯湯槽１１０から出湯した湯は、混合ユニット１３４で水道水と混合されて、所望の温度に調温された後に給湯栓１２４へ供給される。
【００２３】
混合ユニット１３４は、給水経路１３２から貯湯槽給水経路１３６へ流れる水道水の一部を混合バイパス経路１３３に分岐させて、貯湯槽給湯経路１１４から給湯経路１２２へ流れる湯に混合する。給水経路１３２、貯湯槽給水経路１３６および混合バイパス経路１３３の接続部分には混合サーボ弁１３５が設けられており、貯湯槽給水経路１３６の開度と混合バイパス経路１３３の開度が調整される。給湯時には、混合ユニット１３４から貯湯槽１１０の底部へ給水される水道水の流量と、貯湯槽１１０の上部から混合ユニット１３４へ出湯される湯の流量は等しい。従って、混合サーボ弁１３５によって貯湯槽給水経路１３６へ分岐する水道水の流量と混合バイパス経路１３３へ分岐する水道水の流量の比率を調節することによって、貯湯槽給湯経路１１４からの湯と混合バイパス経路１３３からの水道水の混合比率を調節することができる。
【００２４】
給水経路１３２には、給水サーボ１２８と給水流量センサ１３０が設けられている。給水サーボ１２８はコントローラ１８０によって制御されるステッピングモータを内蔵しており、これが駆動されることによって、給水経路１３２の開度が調整されて、給水経路１３２を流れる水の流量が調整される。給水流量センサ１３０は給水経路１３２を流れる水道水の流量を検出して、コントローラ１８０へ出力する。
【００２５】
熱源機１４０は、必要に応じて貯湯槽１１０の湯水を加熱する。貯湯槽１１０の湯水は、貯湯槽１１０の中間高さから熱源機経路１２０に汲み出されて、熱源機１４０に送られる。以下では熱源機経路１２０と貯湯槽１１０の接続部分における貯湯槽１１０の水位を規定水位という。熱源機１４０は貯湯槽１１０の規定水位よりも高い位置に配置されている。熱源機経路１２０は、貯湯槽１１０の規定水位から下方に向けて伸び、Ｕ字型に屈曲して、上方向に伸びて熱源機１４０に到達する経路である。熱源機１４０で加熱された湯は、貯湯槽１１０の頂部に戻される。
【００２６】
循環ポンプ１３８は、コントローラ１８０によって制御されており、これが駆動されることによって貯湯槽１１０から熱源機経路１２０に湯水が汲み出されて、熱源機１４０へ送られる。循環ポンプ１３８は、熱源機経路１２０において、貯湯槽１１０の規定水位よりも低い位置に設けられている。
循環流量センサ１０８は、熱源機経路１２０を流れる湯水の流量を検出する。循環流量センサ１０８で検出された流量は、コントローラ１８０へ送信される。循環流量センサ１０８は、熱源機経路１２０において、貯湯槽１１０の規定水位よりも低く、かつ循環ポンプ１３８よりも高い位置に設けられている。
【００２７】
給湯システム１００では、熱源機１４０で加熱された湯を直接的に混合ユニット１３４や給湯栓１２４に送ることなく、一旦貯湯槽１１０の頂部に戻し、貯湯槽１１０の頂部から給湯を行う構成としている。このような構成とすることによって、熱源機１４０の出口における湯温が急変した場合であっても、貯湯槽１１０の規定水位より上方の部分がバッファタンクとしての役割を果たし、給湯温度の急変が抑制される。給湯栓１２４に安定した湯温で給湯することができる。
【００２８】
熱源機１４０から貯湯槽１１０へ戻る経路は、暖房熱交換経路１４２と、暖房バイパス経路１５０に分岐している。暖房熱交換経路１４２には第１制御弁１４８が設けられており、暖房バイパス経路１５０には第２制御弁１５２が設けられている。第１制御弁１４８と第２制御弁１５２は、いずれもソレノイドを内蔵した電磁弁であって、循環ポンプ１３８を駆動する際には、何れか一方が開かれ、他方が閉じられるように、コントローラ１８０によって制御される。暖房端末機１６０における暖房あるいは風呂の浴槽１７０の追い焚きが行われる場合には、第１制御弁１４８が開かれ、行われていない場合には、第２制御弁１５２が開かれる。
【００２９】
暖房熱交換経路１４２には、暖房熱交換器１４４が設けられている。暖房熱交換器１４４では、熱源機１４０で加熱されて貯湯槽１１０へ戻る湯と、暖房端末機１６０の熱源として利用される熱媒としての水との間で熱交換が行われる。
【００３０】
暖房端末機１６０は、エアコンや床暖房機といった、高温の湯を熱源として利用する暖房器具である。暖房端末機１６０の熱媒として利用される水は、シスターン１５４に貯えられており、暖房ポンプ１５６の駆動によって暖房循環経路１５８を流れて、暖房熱交換器１４４、暖房端末機１６０、シスターン１５４の順に循環する。
【００３１】
シスターン１５４には、必要に応じて、貯湯槽１１０から湯水が供給される。コントローラ１８０がシスターン給水弁１１８を開くと、貯湯槽１１０内の湯水が熱源機経路１２０とシスターン給水経路１１６を経由してシスターン１５４へ流入する。シスターン給水経路１１６は、熱源機経路１２０の循環流量センサ１０８よりも下流から分岐して、貯湯槽１１０の頂部よりも高い位置を通って、シスターン１５４の上方で開口している。
【００３２】
シスターン１５４内には、コントローラ１８０に接続された水位電極１４６が配設されている。水位電極１４６は棒状のハイレベルスイッチ１４６ａとローレベルスイッチ１４６ｂとを備えている。ハイレベルスイッチ１４６ａの下端はシスターン１５４の水位の上限に位置しており、ローレベルスイッチ１４６ｂの下端はシスターン１５４の水位の下限に位置している。これらのハイレベルスイッチ１４６ａとローレベルスイッチ１４６ｂは、その下端が水に触れているとオン信号を出力する。
【００３３】
コントローラ１８０は、給湯システム１００が通常の運転を行っている際には、ローレベルスイッチ１４６ｂがオン信号を出力していない間はシスターン給水弁１１８を開くように制御し、ハイレベルスイッチ１４６ａがオン信号を出力したときにはシスターン給水弁１１８を閉じるように制御する。即ち、シスターン１５４内の水位は、コントローラ１８０によって上限水位と下限水位の間に維持される。
【００３４】
暖房循環経路１５８の暖房熱交換器１４４と暖房端末機１６０の間から、追い焚き経路１６２が分岐している。追い焚き経路１６２は、暖房熱交換器１４４で加熱された熱媒としての湯が、追い焚き熱交換器１６４を経由してシスターン１５４へ戻る流路を形成する。追い焚き経路１６２には追い焚き熱動弁１６６が設けられている。追い焚き熱動弁１６６の開閉は、コントローラ１８０によって制御される。
【００３５】
風呂の浴槽１７０には風呂循環経路１６８が接続されている。風呂循環経路１６８には風呂循環ポンプ１７２が設けられている。コントローラ１８０によって風呂循環ポンプ１７２が駆動されると、浴槽１７０から風呂循環経路１６８に湯が吸い出される。浴槽１７０から吸い出された湯は、追い焚き熱交換器１６４で加熱されて、浴槽１７０に戻される。
【００３６】
風呂循環経路１６８は、注湯電磁弁１７４を介して給湯経路１２２に連通しており、注湯電磁弁１７４を開くことで、浴槽１７０への湯張りが行われる。注湯電磁弁１７４はコントローラ１８０によって制御される。
【００３７】
リモコン１８２は、表示板と操作スイッチを備えている。利用者はリモコン１８２を操作して、給湯システム１００の主電源のＯＮ／ＯＦＦや、各種の運転モードの開始／終了や、給湯設定温度、暖房設定温度および風呂設定温度等を入力することができる。また、リモコン１８２には貯湯槽１１０への水張りを実行する水張りスイッチが設けられている。リモコン１８２はコントローラ１８０と通信可能であって、利用者の操作内容をコントローラ１８０へ送信する。
【００３８】
コントローラ１８０は、制御プログラムを記憶している。コントローラ１８０には、リモコン１８２の操作信号と、各種流量センサと各種サーミスタの検出信号等が入力される。コントローラ１８０は、入力された信号を制御プログラムで処理し、各種ポンプ、各種弁、バーナ等を制御する。
【００３９】
給湯システム１００は、貯湯槽１１０に湯水が貯えられた状態で給湯や暖房、風呂の追い焚き等の運転を行う。従って、給湯システム１００が新たに設置されたときには、貯湯槽１１０に水張りをする必要がある。また、利用者が長期間不在になる場合など、給湯システム１００が長期間利用されない場合には、貯湯槽１１０から水抜きが行われる。その後、再び給湯システム１００を利用する際には、再び貯湯槽１１０へ水張りをする必要がある。
【００４０】
貯湯槽１１０への水張りは、シスターン給水弁１１８と給水サーボ１２８を開くことで行われる。貯湯槽１１０への水張りが開始されると、給水経路１３２と貯湯槽給水経路１３６を経由して貯湯槽１１０に水が供給され、貯湯槽１１０内の水位上昇に伴って、貯湯槽１１０内のエアが熱源機経路１２０に押し出されて、シスターン給水経路１１６を経てシスターン１５４に流れ出す。その後、貯湯槽１１０内の水位が上昇して、貯湯槽１１０の規定水位まで達すると、貯湯槽１１０から熱源機経路１２０に水が溢れ出て、循環ポンプ１３８および循環流量センサ１０８を水が通過する。ここで給水を止めずに、さらに貯湯槽１１０内の水位が上昇していくと、貯湯槽１１０が満水状態となって、さらに給水を続けると、シスターン給水経路１１６を経てシスターン１５４に水が流れ込むことになる。本実施例の給湯システム１００では、貯湯槽１１０への水張りを開始する時点でのシスターン１５４の水位に応じて、水張りの終了判定の方式を決定する。水張りを開始する時点でシスターン１５４が上限水位に達していなければ、シスターン１５４の水位電極１４６によって水位の上昇を検出した時点で、貯湯槽１１０の水張り運転を終了する。水張りを開始する時点でシスターン１５４が上限水位に達している場合には、貯湯槽１１０が規定水位に達した時点でシスターン給水弁１１８を閉じて、貯湯槽１１０の水張り運転を終了する。貯湯槽１１０が規定水位に達したか否かは、後述するように、循環流量センサ１０８の検出値から判断される。なお、貯湯槽１１０が規定水位に達して、貯湯槽１１０への水張り運転を終了した後も、給湯の開始に備えて給水サーボ１２８は開いている。このため、給湯栓１２４や注湯電磁弁１７４が開かれると、給水圧力によって貯湯槽１１０内のエアが給湯栓１２４や注湯電磁弁１７４から流出して、貯湯槽１１０が満水状態となり、その後に貯湯槽１１０から給湯栓１２４や注湯電磁弁１７４に湯水が供給される。
【００４１】
以下では貯湯槽１１０への水張り運転について、図２のフローチャートを参照しながら説明する。コントローラ１８０は、リモコン１８２の水張スイッチがオンにされることによって、図２の水張り運転を開始する。
【００４２】
ステップＳ２０２では、水位電極１４６のハイレベルスイッチ１４６ａの出力信号から、シスターン１５４が上限水位に達しているか否かを判断する。シスターン１５４が上限水位に達している場合（ＹＥＳの場合）、シスターン１５４の水位電極１４６を用いた水張りの終了判定を行うことができず、循環流量センサ１０８を用いた水張りの終了判定を行う必要があるため、処理はステップＳ２０４へ進む。
【００４３】
ステップＳ２０４では、シスターン給水弁１１８を開く。ステップＳ２０６では、給水サーボ１２８を全開にする。これによって、給水経路１３２と貯湯槽給水経路１３６を経由して貯湯槽１１０へ水道水の供給が開始されて、貯湯槽１１０への水張りが開始される。
【００４４】
ステップＳ２０６で給水サーボ１２８を開いた後、ステップＳ２０８では、循環水量センサ１０８の検出値についての積算を開始する。ステップＳ２１０では、循環水量センサ１０８の検出値の積算値が、所定のしきい値に達するまで待機する。本実施例では、積算値についてのしきい値は１．０リットルである。ステップＳ２１０で積算値が１．０リットル以上となると（ＹＥＳとなると）、貯湯槽１１０から熱源機経路１２０に水かエアの何れかが流れたと判断して、ステップＳ２１２へ進む。
【００４５】
ステップＳ２１２では、給水サーボ１２８を閉じる。ステップＳ２１４では、シスターン給水弁１１８を閉じる。これによって、貯湯槽１１０への給水が中断されて、貯湯槽１１０からの水やエアは、外部へ流出しない状態となる。
【００４６】
ステップＳ２１６では、第２制御弁１５２を開く。ステップＳ２１８では、循環ポンプ１３８を駆動する。この時点で、もし貯湯槽１１０から熱源機経路１２０に水が溢れ出していれば、熱源機経路１２０内の水は熱源機１４０、暖房バイパス経路１５０および貯湯槽１１０の順に循環する。従って、循環水量センサ１０８で流量が検出される。逆に、この時点で、もし貯湯槽１１０から熱源機経路１２０に水が溢れ出していなければ、熱源機経路１２０には何も循環せず、循環水量センサ１０８で流量は検出されない。
【００４７】
ステップＳ２２０では、循環水量センサ１０８の検出値が所定のしきい値以上か否かを判断する。本実施例では、検出値のしきい値は１０リットル／ｍｉｎである。検出値が１０リットル／ｍｉｎ以上の場合（ＹＥＳの場合）、貯湯槽１１０から熱源機経路１２０に水が溢れ出していると判断される。従って、貯湯槽１１０の水位が規定水位にまで達しており、貯湯槽１１０へのこれ以上の水張りは不要と判断して、処理はステップＳ２２２へ進む。
【００４８】
ステップＳ２２２では、循環ポンプ１３８を停止する。ステップＳ２２４では、第２制御弁１５２を閉じる。これによって、貯湯槽１１０、熱源機経路１２０、熱源機１４０および暖房バイパス経路１５０を経由する水の循環が停止される。
ステップＳ２２６では、給湯栓１２４や風呂の浴槽１７０への給湯の開始に備えて給水サーボ１２８を全開にして、貯湯槽１１０への水張り運転を終了する。
【００４９】
ステップＳ２２０で検出値が１０リットル／ｍｉｎに満たない場合（ＮＯの場合）、貯湯槽１１０から熱源機経路１２０に水が流れ込んいないと判断される。従って、ステップＳ２１０で検出された循環水量センサ１０８の検出値の積算値は、貯湯槽１１０から熱源機経路１２０へ水が流れた結果ではなく、貯湯槽１１０から熱源機経路１２０へエアが流れた結果であると判断される。この場合には、いまだ貯湯槽１１０内には高圧のエアが残存している可能性があるため、処理は図３のステップＳ３０２へ進み、貯湯槽１１０からのエア抜きを行う。
【００５０】
図３のステップＳ３０２では、循環ポンプ１３８を停止する。ステップＳ３０４では、第２制御弁１５２を閉じる。
【００５１】
ステップＳ３０６では、シスターン給水弁１１８を開く。給水サーボ１２８は図２のステップＳ２１２で閉じられているため、図３のステップＳ３０６では、貯湯槽１１０内には給水がなされず、貯湯槽１１０内の高圧のエアが熱源機経路１２０およびシスターン給水経路１１６を経由して、徐々にシスターン１５４に流れ出ていく。
【００５２】
ステップＳ３０８では、循環水量センサ１０８の検出値が０．５リットル／ｍｉｎを下回るまで待機する。貯湯槽１１０の高圧のエアが抜けて、循環水量センサ１０８の検出値が０．５リットル／ｍｉｎに満たなくなると（ＹＥＳとなると）、貯湯槽１１０への水張りを再開するために、処理は図２のステップＳ２０６へ戻る。
【００５３】
図２のステップＳ２０２で、シスターン１５４が上限水位に達していない場合（ＮＯの場合）には、上記した循環水量センサ１０８を用いた水張りの終了判定ではなく、シスターン１５４の水位電極１４６を用いた水張りの終了判定を行う。この場合、処理は図４のステップＳ４０２に進む。
【００５４】
図４のステップＳ４０２では、シスターン給水弁１１８を開く。ステップＳ４０４では、給水サーボ１２８を全開にする。これによって、給水経路１３２と貯湯槽給水経路１３６を経由して貯湯槽１１０へ水道水が供給されて、貯湯槽１１０への水張りが開始される。貯湯槽１１０内の水位上昇に伴って、貯湯槽１１０内のエアが熱源機経路１２０に押し出されて、シスターン給水経路１１６を経てシスターン１５４に流れ出す。シスターン１５４にエアが流れ出しても、シスターン１５４の水位は変わらないため、水位電極１４６では水位上昇は検出されず、貯湯槽１１０への給水が継続される。その後、貯湯槽１１０が規定水位に達すると、貯湯槽１１０から熱源機経路１２０に水が溢れ出す。しかしながら、シスターン給水経路１１６は貯湯槽１１０の頂部よりも高い位置を通っているため、貯湯槽１１０が満水状態となるまでは、熱源機経路１２０に溢れ出した水がシスターン給水経路１１６を流れることはない。その後さらに貯湯槽１１０への給水が行われて貯湯槽１１０が満水状態となり、さらに貯湯槽１１０への給水が行われると、熱源機経路１２０に溢れ出した水はシスターン給水経路１１６を経由してシスターン１５４に流れ込む。
【００５５】
ステップＳ４０６では、シスターン１５４が上限水位に達するまで待機する。シスターン１５４が上限水位に達すると（ＹＥＳとなると）、貯湯槽１１０からシスターン１５４に水が流れ込んでいると判断される。従って、貯湯槽１１０へのこれ以上の水張りは不要と判断して、処理はステップＳ４０８へ進む。
【００５６】
ステップＳ４０８では、シスターン給水弁１１８を閉じて、水張り運転を終了する。この場合にも、給湯栓１２４や風呂の浴槽１７０への給湯の開始に備えて給水サーボ１２８は開いたままとされる。
【００５７】
本実施例の給湯システム１００では、貯湯槽１１０への水張りを開始するときにシスターン１５４の水位を判定し、シスターン１５４が上限水位に達していない場合には、シスターン１５４の水位電極１４６を利用して水張りの終了判定を行い、シスターン１５４が上限水位に達している場合には、循環水量センサ１０８を利用して水張りの終了判定を行う。水張り開始時のシスターン１５４の貯水状況に応じて、貯湯槽１１０への水張りの終了判定の方式を適切に選択して、貯湯槽１１０への水張りを行うことができる。
【００５８】
本実施例の給湯システム１００では、シスターン１５４が上限水位に達している場合には、シスターン給水弁１１８を閉じて循環ポンプ１３８を駆動した状態での循環水量センサ１０８の検出値に基いて、貯湯槽１１０への水張りの終了判定を行う。給水によって貯湯槽１１０が規定水位に達して、熱源機経路１２０に水が溢れ出ている場合には、循環ポンプ１３８を駆動することで熱源機経路１２０の水が循環して、循環水量センサ１０８で水の流量が検出される。貯湯槽１１０に十分に水張りが行われていない場合には、循環ポンプ１３８を駆動しても熱源機経路１２０には水が循環しないため、循環水量センサ１０８では流量が検出されない。従って、循環水量センサ１０８の検出値から、貯湯槽１１０への水張りの終了判定を確実に行うことができる。
【００５９】
なお上記実施例では、ステップＳ２２０で循環ポンプ１３８を駆動した状態での熱源機経路１２０の水の循環を検出する際に、給水サーボ１２８とシスターン給水弁１１８の両方を閉じた状態としておく（ステップＳ２１２およびＳ２１４を参照のこと）例を説明したが、給水サーボ１２８は開いた状態のままとして、シスターン給水弁１１８のみを閉じた状態としておいてもよい。
【００６０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００６１】
【図１】図１は本実施例の給湯システムの系統図である。
【図２】図２は水張り運転を説明するフローチャートである。
【図３】図３は貯湯槽からのエア抜き処理の詳細を説明するフローチャートである。
【図４】図４はシスターンの水位電極を利用した水張り運転の詳細を説明するフローチャートである。
【符号の説明】
【００６２】
１００：給湯システム
１０２：発電ユニット
１０４：排熱回収ポンプ
１０６：排熱回収熱交換器
１０８：循環水量センサ
１１０：貯湯槽
１１４：貯湯槽給湯経路
１１６：シスターン給水経路
１１８：シスターン給水弁
１２２：給湯経路
１２４：給湯栓
１２６：減圧弁
１２８：給水サーボ
１３０：給水流量センサ
１３２：給水経路
１３３：混合バイパス経路
１３４：混合ユニット
１３５：混合サーボ弁
１３６：貯湯槽給水経路
１３８：循環ポンプ
１４０：熱源機
１４２：暖房熱交換経路
１４４：暖房熱交換器
１４８：第１制御弁
１５０：暖房バイパス経路
１５２：第２制御弁
１５４：シスターン
１５６：暖房ポンプ
１５８：暖房循環経路
１６０：暖房端末機
１６２：追い焚き経路
１６４：追い焚き熱交換器
１６６：追い焚き熱動弁
１６８：風呂循環経路
１７０：浴槽
１７２：風呂循環ポンプ
１７４：注湯電磁弁
１８０：コントローラ
１８２：リモコン
【図１】
2008121991.tif 000003
【図２】
2008121991.tif 000004
【図３】
2008121991.tif 000005
【図４】
2008121991.tif 000006